(57)【要約】【課題】複数ユーザで共有メディアを利用するＡＶ機器で、各ユーザが再生を一時中断した後、再生を再開する際に中断した箇所から再生できるレジューム機能を実現する。【解決手段】情報記録媒体から記録情報を再生するデータプロセッサ１０７と、ユーザ情報と再生するタイトルを特定するための情報を入力するキー入力部１０４と、再生中の情報記録媒体上の再生位置とユーザ情報をレジューム情報として保持する不揮発性メモリ１０６と、不揮発性メモリ１０６が保持するレジューム情報にキー入力部１０４により入力するユーザ情報及び再生するタイトルを特定する情報と一致するレジューム情報が保持されている場合、このレジューム情報に従って再生を開始するようにデータプロセッサ１０７を制御するマイクロコンピュータ１０５とを備える。【選択図】図１
2005129093.tif 000002
【特許請求の範囲】
【請求項１】
情報記録媒体から記録情報を再生する再生手段と、ユーザ情報と再生するタイトルを特定するための情報を入力する入力手段と、再生中の前記情報記録媒体上の再生位置と前記ユーザ情報をレジューム情報として保持する再生位置記録手段と、前記再生位置記録手段が保持するレジューム情報に入力手段により入力する前記ユーザ情報及び再生するタイトルを特定する情報と一致するレジューム情報が保持されている場合、該レジューム情報に従って再生を開始するように前記再生手段を制御する制御手段とを具備する情報再生装置。
【請求項２】
前記再生位置記録手段は、前記レジューム情報を前記情報記録媒体に記録することを特徴とする請求項１記載の情報再生装置。
【請求項３】
記録手段を更に備え、前記再生位置記録手段は、前記記録手段に前記レジューム情報と共に前記情報記録媒体を識別するための情報を記録することを特徴とする請求項１記載の情報再生装置。
【請求項４】
前記再生位置記録手段は、前記入力手段により再生を停止する指示が入力された場合、その時点で再生されている前記情報記録媒体の再生位置を前記レジューム情報として保持することを特徴とする請求項２または３記載の情報再生装置。
【請求項５】
前記再生位置記録手段は、前記入力手段により前記レジューム情報を保持する指示が入力された場合、その時点で再生されている前記情報記録媒体の再生位置を前記レジューム情報として保持することを特徴とする請求項２または３記載の情報再生装置。
【請求項６】
前記再生位置記録手段は、前記入力手段により前記情報再生装置を待機状態にする指示が入力された場合、その時点で再生されている前記情報記録媒体の再生位置を前記レジューム情報として保持することを特徴とする請求項２または３記載の情報再生装置。
【請求項７】
前記再生位置記録手段は、所定時間毎にその時点で再生されている前記情報記録媒体の再生位置を前記レジューム情報として保持及び更新することを特徴とする請求項２または３記載の情報再生装置。
【請求項８】
前記制御手段は、前記再生位置記録手段が保持するレジューム情報に、前記入力手段により入力する前記ユーザ情報及び再生するタイトルを特定する情報と一致するレジューム情報が複数保持されている場合、前記入力手段により更に複数のレジューム情報から再生するレジューム情報を特定するための情報を入力し、該レジューム情報に従って再生を開始するように前記再生手段を制御することを特徴とする請求項４、５、６または７記載の情報再生装置。
【請求項９】
前記制御手段は、前記再生位置記録手段が保持するレジューム情報に入力手段により入力する前記ユーザ情報及び再生するタイトルを特定する情報と一致するレジューム情報が複数保持されている場合、複数の該レジューム情報に記録されている前記情報記録媒体上の再生位置近傍の記録情報を再生して前記情報再生装置に備えられた表示手段に出力し、前記入力手段により更に複数のレジューム情報から再生するレジューム情報を特定するための情報を入力し、該レジューム情報に従って再生を開始するように前記再生手段を制御することを特徴とする請求項４、５、６または７記載の情報再生装置。
【請求項１０】
請求項１記載の情報再生装置における、情報記録媒体から記録情報を再生する再生手段、ユーザ情報と再生するタイトルを特定するための情報を入力する入力手段、再生中の前記情報記録媒体上の再生位置と前記ユーザ情報をレジューム情報として保持する再生位置記録手段、および前記再生位置記録手段が保持するレジューム情報に入力手段により入力する前記ユーザ情報及び再生するタイトルを特定する情報と一致するレジューム情報が保持されている場合、該レジューム情報に従って再生を開始するように前記再生手段を制御する制御手段の少なくとも一部をコンピュータにより機能させるためのプログラム。
【請求項１１】
請求項１０記載のプログラムを担持した記録媒体であって、コンピュータにより処理可能な記録媒体。
【請求項１２】
情報記録媒体から記録情報を再生するステップと、ユーザ情報と再生するタイトルを特定するための情報を入力するステップと、再生中の前記情報記録媒体上の再生位置と前記ユーザ情報をレジューム情報として保持するステップと、前記保持するレジューム情報に前記ユーザ情報及び再生するタイトルを特定する情報と一致するレジューム情報が保持されている場合、該レジューム情報に従って再生を開始するように再生を制御するステップとを有する情報再生方法。
【発明の詳細な説明】
【技術分野】
【０００１】
本発明は、情報記録媒体に対して、少なくとも情報を再生する情報再生装置に関し、特に情報再生中に途中で再生が停止され、後に再び再生が開始された時、再生が途中で停止された位置から再生を行う情報再生装置、情報再生方法、プログラム及び記録媒体に関するものである。
【背景技術】
【０００２】
最近、ＨＤＤ（ハードディスクドライブ）、記録型ＤＶＤ（デジタル多目的ディスク）、半導体メモリ（あるいはメモリカード）などに代表されるような大容量ストレージをメディア（情報記録媒体）として利用したＡＶ機器が開発され急速な勢いで市場に広まっている。その理由として、これらのメディアには動画や静止画、音楽等のデータをデジタル記録することができ、ＰＣ（パーソナルコンピュータ）との親和性が高い、経年によるデータの劣化が殆ど無い、ランダムアクセスに優れていることから、利便性の高いメディアとしてユーザに受け入れられていると考えられる。
【０００３】
これらのＡＶ機器には上記メディアの特徴であるランダムアクセスを利用してユーザの利便性を高めるレジューム機能が搭載されていることが多い。レジューム機能とはメディアに記録されたデータを再生中に、ユーザが一時的に再生を停止した後、再び再生指示を行った場合、再生を停止した箇所から引き続き記録データを再生することができる機能である。
【０００４】
つまり、このレジューム機能はメディアが再生装置にセットされ記録情報が再生されているとき、この再生を途中で停止した場合、この停止時点のメディア上の再生位置をレジューム情報としてメモリに記憶しておき、再び再生動作を行う際にそのレジューム情報をメモリから読み出し、そのレジューム情報に基づいて停止時点のメディア上の位置を検出し、この位置からデータを再生する機能である。
【０００５】
例えば、特許文献１に記載の情報再生方法及び再生装置は、録画されたタイトル毎に最後に再生を停止した時のメディア上の位置を保持し、次回そのタイトルの再生が実行された場合に、そのタイトルのレジューム情報が存在した場合にはそのレジューム情報が保持している状態に復帰して再生を開始させるようにしたレジューム機能を有している。
【特許文献１】特開２００２−１１２２０１号公報
【発明の開示】
【発明が解決しようとする課題】
【０００６】
光ディスクやＨＤＤを用いた情報再生装置に対し複数のユーザが個別に録画を行うような場合、録画を行ったユーザだけが録画したタイトルを視聴するとは限らない。つまり、録画を行ったユーザとは別のユーザが当該タイトルを視聴する可能性がある。
【０００７】
これら複数ユーザが同一タイトルに対して再生中に一時停止を行い、レジューム情報を記録させておこうとした場合、従来技術である特許文献１に記載の情報再生方法によるレジューム再生機能では不都合が生じる。なぜなら、特許文献１ではレジューム情報は同一タイトルに対して１つのレジューム情報にしか対応できない構成であるため、複数ユーザが同一タイトル上で再生を中断した場合、レジューム機能が適切に動作しないという課題があった。
【０００８】
また、従来技術である特許文献１では、再生停止が入力された場合にレジューム情報を生成するという構成であるため、再生中にユーザが誤って電源スイッチを押して記録再生装置を待機状態にした場合、あるいは停電等で記録再生装置への電力供給が停止してしまった場合、その直前に再生していた記録位置をレジューム情報として記録できないため、レジューム機能を利用することができないという課題があった。
【０００９】
従って、本発明は複数のユーザでレジューム機能が利用でき、またユーザの意図とは反して再生が停止された場合あるいは電力供給が停止した場合でも、その直前に再生していたメディア上の位置をレジューム情報として記録し、再び記録位置から再生できる情報再生装置を提供することを目的とする。
【００１０】
また、本発明は着脱可能なメディアに対してもレジューム情報を保持してレジューム再生が可能な情報再生装置を提供することを目的とする。
【００１１】
また、選択可能なレジューム情報が複数存在する場合でも、ユーザは容易に所望のレジューム情報を選択することができる情報再生装置を提供することを目的とする。
【課題を解決するための手段】
【００１２】
上述した課題を解決するために、本発明の請求項１に係る発明は、情報記録媒体から記録情報を再生する再生手段と、ユーザ情報と再生するタイトルを特定するための情報を入力する入力手段と、再生中の前記情報記録媒体上の再生位置と前記ユーザ情報をレジューム情報として保持する再生位置記録手段と、前記再生位置記録手段が保持するレジューム情報に入力手段により入力する前記ユーザ情報及び再生するタイトルを特定する情報と一致するレジューム情報が保持されている場合、該レジューム情報に従って再生を開始するように前記再生手段を制御する制御手段とを備える情報再生装置である。
【００１３】
また、請求項２に係る発明は、請求項１に係る発明において、前記再生位置記録手段は、前記レジューム情報を前記情報記録媒体に記録するものである。
【００１４】
また、請求項３に係る発明は、請求項１に係る発明において、記録手段を更に備え、前記再生位置記録手段は、前記記録手段に前記レジューム情報と共に前記情報記録媒体を識別するための情報を記録するものである。
【００１５】
また、請求項４に係る発明は、請求項２または３に係る発明において、前記再生位置記録手段は、前記入力手段により再生を停止する指示が入力された場合、その時点で再生されている前記情報記録媒体の再生位置を前記レジューム情報として保持するものである。
【００１６】
また、請求項５に係る発明は、請求項２または３に係る発明において、前記再生位置記録手段は、前記入力手段により前記レジューム情報を保持する指示が入力された場合、その時点で再生されている前記情報記録媒体の再生位置を前記レジューム情報として保持するものである。
【００１７】
また、請求項６に係る発明は、請求項２または３に係る発明において、前記再生位置記録手段は、前記入力手段により前記情報再生装置を待機状態にする指示が入力された場合、その時点で再生されている前記情報記録媒体の再生位置を前記レジューム情報として保持するものである。
【００１８】
また、請求項７に係る発明は、請求項２または３に係る発明において、前記再生位置記録手段は、所定時間毎にその時点で再生されている前記情報記録媒体の再生位置を前記レジューム情報として保持及び更新するものである。
【００１９】
また、請求項８に係る発明は、請求項４〜７のいずれかに係る発明において、前記制御手段は、前記再生位置記録手段が保持するレジューム情報に入力手段により入力する前記ユーザ情報及び再生するタイトルを特定する情報と一致するレジューム情報が複数保持されている場合、前記入力手段により更に複数のレジューム情報から再生するレジューム情報を特定するための情報を入力し、該レジューム情報に従って再生を開始するように前記再生手段を制御するものである。
【００２０】
また、請求項９に係る発明は、請求項４〜７のいずれかに係る発明において、前記制御手段は、前記再生位置記録手段が保持するレジューム情報に入力手段により入力する前記ユーザ情報及び再生するタイトルを特定する情報と一致するレジューム情報が複数保持されている場合、複数の該レジューム情報に記録されている前記情報記録媒体上の再生位置近傍の記録情報を再生して前記情報再生装置に備えられた表示手段に出力し、前記入力手段により更に複数のレジューム情報から再生するレジューム情報を特定するための情報を入力し、該レジューム情報に従って再生を開始するように前記再生手段を制御するものである。
【００２１】
また、請求項１０に係る発明は、請求項１に係る発明の情報再生装置における、情報記録媒体から記録情報を再生する再生手段、ユーザ情報と再生するタイトルを特定するための情報を入力する入力手段、再生中の前記情報記録媒体上の再生位置と前記ユーザ情報をレジューム情報として保持する再生位置記録手段、および前記再生位置記録手段が保持するレジューム情報に入力手段により入力する前記ユーザ情報及び再生するタイトルを特定する情報と一致するレジューム情報が保持されている場合、該レジューム情報に従って再生を開始するように前記再生手段を制御する制御手段の少なくとも一部をコンピュータにより機能させるためのプログラムである。
【００２２】
また、請求項１１に係る発明は、請求項１０に係る発明のプログラムを担持した記録媒体であって、コンピュータにより処理可能な記録媒体である。
【００２３】
また、請求項１２に係る発明は、情報記録媒体から記録情報を再生するステップと、ユーザ情報と再生するタイトルを特定するための情報を入力するステップと、再生中の前記情報記録媒体上の再生位置と前記ユーザ情報をレジューム情報として保持するステップと、前記保持するレジューム情報に前記ユーザ情報及び再生するタイトルを特定する情報と一致するレジューム情報が保持されている場合、該レジューム情報に従って再生を開始するように再生を制御するステップとを有する情報再生方法である。
【発明の効果】
【００２４】
以上説明したところから明らかなように、本発明は、複数のユーザが同一のタイトルに対して複数のレジューム情報を保持する場合でも、タイトルとユーザ名をレジューム情報に保持することにより、ユーザはユーザ自身が作成したレジューム情報を容易に特定することができる情報再生装置、情報再生方法、プログラム及び記録媒体を提供することができる。
【００２５】
また、本発明は、ユーザが同一タイトルに複数のレジューム情報を保持していた場合でも、それぞれのレジューム情報に記録している再生停止時の再生位置近傍の記録情報を再生してユーザに表示することにより、ユーザはその表示を見て再生を開始する位置を容易に選択することができる情報再生装置、情報再生方法、プログラム及び記録媒体を提供することができる。
【００２６】
また、本発明は、情報記憶媒体毎にレジューム情報を保持することにより、着脱可能な情報記憶媒体を再度取り付けて再生しようとした場合でも、以前に再生を中断したレジューム情報を利用することができる情報再生装置、情報再生方法、プログラム及び記録媒体を提供することができる。
【００２７】
また、本発明は、誤って電源スイッチを押した場合や、停電などによるユーザが意図しない再生停止の場合でも、再生中の所定時間毎にレジューム情報を記録及び更新することにより、再び停止位置から再生を開始できる情報再生装置、情報再生方法、プログラム及び記録媒体を提供することができる。
【発明を実施するための最良の形態】
【００２８】
以下に、本発明の実施の形態について図面を参照して説明する。
【００２９】
図１は本発明が適用される情報再生装置の構成を示すブロック図である。
【００３０】
図１に示すように、この情報再生装置は、光ディスク１０１、ＨＤＤ１０２、半導体メモリ１０３、キー入力部１０４、マイクロコンピュータ１０５、不揮発性メモリ１０６、データプロセッサ１０７、ＡＶデコーダ１０８、ＡＶミキサ１０９、ＡＶ出力部１１０、ＡＶ入力部１１１およびＡＶエンコーダ１１２から構成されている。
【００３１】
本情報再生装置において、ＡＶ入力部１１１は、外部機器（図示せず）からビデオデータ及びオーディオデータが入力される。なお、入力した信号がアナログデータである場合は、デジタルデータに変換した後、ＡＶエンコーダ１１２に出力する。ＡＶエンコーダ１１２は、入力したデジタルビデオデータを内蔵するビデオエンコーダで所定のコーデックを用いて圧縮処理する。また、ＡＶエンコーダ１１２は、入力したデジタルオーディオデータを内蔵するオーディオエンコーダで所定のコーデックを用いて圧縮処理する。更にＡＶエンコーダ１１２は圧縮処理したビデオデータとオーディオデータを多重化して所定のフォーマットに成形して出力する。
【００３２】
データプロセッサ１０７は、マイクロコンピュータ１０５からの指示に従って、ＡＶエンコーダ１１２が出力するデジタルデータを光ディスク１０１、ＨＤＤ１０２あるいは半導体メモリ１０３へ書き込む。また、データプロセッサ１０７は、マイクロコンピュータ１０５からの指示に従って、キー入力部１０４から入力される録画データに関わる情報（タイトル、ユーザ名等）を管理情報として録画データと同じ情報記録媒体（光ディスク１０１、ＨＤＤ１０２あるいは半導体メモリ１０３）へ書き込む。一方、光ディスク１０１、ＨＤＤ１０２または半導体メモリ１０３に記録された録画データは、マイクロコンピュータ１０５の指示に従ってデータプロセッサ１０７が読み出し、ＡＶデコーダ１０８に出力される。
【００３３】
ＡＶデコーダ１０８は、入力した（あるいは情報記録媒体から再生した）所定フォーマットのデジタルデータから、圧縮されたビデオデータとオーディオデータに分離し、ビデオデータを内蔵するビデオデコーダで所定のコーデックを用いて伸張処理して元のビデオデータに、そしてオーディオデータを内蔵するオーディオデコーダで所定のコーデックを用いて伸張処理して元のオーディオデータに戻して出力する。
【００３４】
ＡＶミキサ１０９は、ＡＶデコーダ１０８から入力するビデオデータにマイクロコンピュータ１０５から入力するビデオデータを加え、またＡＶデコーダ１０８から入力するオーディオデータにマイクロコンピュータ１０５から入力するオーディオデータを加えてＡＶ出力部１１０に出力する。ＡＶ出力部１１０は、接続している外部機器に対してビデオデータとオーディオデータを出力する。
【００３５】
キー入力部１０４は、再生、停止、録画、スキップ、早送り、スロー等の操作ボタンを有し、ユーザがこのボタンを押下することにより、その指示がマイクロコンピュータ１０５に出力されて本情報再生装置を操作することができる。
【００３６】
マイクロコンピュータ１０５は、制御プログラムが格納されたＲＯＭ（リード・オンリー・メモリ）と、プログラム実行に必要なワークエリアを提供すためのＲＡＭ（ランダム・アクセス・メモリ）を含んでおり、制御プログラムに従ってキー入力部１０４から入力されるユーザの指示に応じてワークエリアを用いながらデータプロセッサ１０７やＡＶデコーダ０８、ＡＶエンコーダ１１３等を制御して記録動作や再生動作を実現する。また、マイクロコンピュータ１０５は、制御プログラムに従って、再生中にキー入力部１０４の停止ボタンが押下された場合等に、情報記録媒体上の再生停止位置を含むレジューム情報を生成して不揮発性メモリ１０６に随時読み書きする。また、マイクロコンピュータ１０５は制御プログラムに従って、再生に関わる情報あるいは録画に関わる情報をユーザに提供するため、それらの情報（文字、画像、音声等）のビデオデータとオーディオデータを生成しＡＶミキサ１０９に出力する。
【００３７】
（実施の形態１）
図２は、図１に示した情報再生装置から、本発明の実施の形態１に関する再生システムの部分を抽出し、簡略化した構成を示すブロック図である。本発明の実施の形態１では、録画データを記録する情報記録媒体上にレジューム情報も保持するものである。
【００３８】
この再生システムは、ユーザからの再生指示やタイトルやユーザ名の選択等のキー入力を検出する入力部２０１、本再生システムの再生動作や停止動作を制御する制御部２０２、録画したデータやレジューム情報を保持する情報記録媒体２０４、情報記録媒体２０４に保持された録画データを読み出して元の録画データに戻して再生する再生部２０３から構成される。
【００３９】
ここで、制御部２０２はマイクロコンピュータ１０５に相当し、再生部２０３はＡＶデコーダ１０８とデータプロセッサ１０７とに相当し、出力部２０６はＡＶミキサ１０９とＡＶ出力部１１０に相当する。また、入力部２０１はキー入力部１０４に相当する。情報記録媒体２０４としては、図１の光ディスク１０１、ＨＤＤ１０２、半導体メモリ１０３等を用いて録画データの再生が可能である。
【００４０】
図３、図４、図５は、本発明の実施の形態１による情報再生装置におけるプログラムあるいは動作を示すフローチャートである。図６は、レジューム情報が格納されるテーブルの一例を示す概念図であり、タイトル、再生停止位置、再生停止日時、停止位置におけるタイトル先頭からの再生時間、ユーザ名をレジューム情報として記録する。また、主／副音声の切替えや映像アングルの指定等のユーザが再生時に設定できるパラメータをレジューム情報に追加して記録しても良い。
【００４１】
また、ここではユーザを特定する手段としてユーザ名をレジューム情報として記録するが、指紋や虹彩や音声等の生体情報を用いてユーザを特定しても良い。この場合、生体情報を入力するための入力装置を入力部２０１に設ける。
【００４２】
図７はユーザに表示するレジューム情報の様子を示した概念図である。
【００４３】
以下、図２、図３、図４、図５、図６及び図７を用いて、本発明の実施の形態１について詳細に説明する。
【００４４】
情報記録媒体２０４が情報再生装置に装着されると、制御部２０２は再生部２０３に対して情報記録媒体２０４に記録されている録画データのタイトルとレジューム情報を読み出すように指示し、読み出したタイトルとレジューム情報をワークエリアに書き込む。
【００４５】
ここではレジューム情報に含まれる情報を、図６で示すように、録画データのタイトル、再生を停止したときの情報記録媒体上の再生停止位置、再生を停止した際の日時、タイトル先頭からの再生経過時間、ユーザ名とする。
【００４６】
次に、制御部２０２はワークエリアに格納したタイトルとレジューム情報に含まれるユーザ名を出力部２０６に出力する。
【００４７】
ユーザは本再生システムに再生を指示する場合、画面に表示された情報記録媒体２０４上に記録されているタイトルとレジューム情報に格納されているユーザ名から、所望のタイトルとユーザ名を入力部２０１に設けられているボタンを押下することで選択することができる。
【００４８】
まず、図３のステップＳ３０１では制御部２０２が入力部２０１を用いてユーザのキー入力を検査し、検出された場合はステップＳ３０２に移行する。
【００４９】
ステップＳ３０２では、入力情報から再生開始の指示がなされたかを判断し、再生が指示されていなければステップＳ３０３に移行しタイトルが選択されたか判断し、タイトルが選択された場合はステップＳ３０４に移行し当該タイトルを次に再生するタイトルとして保持した後、再びステップ３０１に移行してユーザからのキー入力を待つ。
【００５０】
ステップＳ３０３でタイトルが選択されていない場合、ステップＳ３０５に移行しユーザ名選択がなされたか判断し、ユーザ名が選択された場合はステップＳ３０６に移行し当該ユーザ名を次に再生するタイトルの利用者として保持した後、再びステップ３０１に移行してユーザからのキー入力を待つ。
【００５１】
ステップＳ３０５でユーザ名選択がなされていない場合、ステップＳ３０７に移行し、キー入力されたユーザからの指示に応じた処理を行って本フローチャートを終了する。
【００５２】
ステップＳ３０２にて再生開始が指示された場合、図４のステップＳ４０１に移行し、再生するタイトルが選択されているかを判断し、選択されていない場合はステップＳ４０９に移行し、再生部２０３を操作して録画されたデータの先頭タイトルの先頭位置から再生を開始する準備をする。
【００５３】
ステップＳ４０１で再生するタイトルが選択されている場合、ステップＳ４０２に移行してユーザ名が選択されているか判断し、選択されていない場合は、ステップＳ４０８に移行し、再生部２０３を操作して選択されているタイトルの先頭位置から再生を開始する準備をする。
【００５４】
ステップＳ４０２でユーザ名が選択されている場合、ステップＳ４０３に移行してワークエリアに格納しているレジューム情報から、選択されたユーザが保持しているレジューム情報の中に選択されたタイトルのレジューム情報があるかどうかを検索する。検索の結果、所望のレジューム情報が存在しなかった場合、ステップＳ４０８に移行し、再生部２０３を操作して選択されているタイトルの先頭位置から再生を開始する準備をする。
【００５５】
ステップＳ４０３で所望のレジューム情報が存在する場合、ステップＳ４０４に移行して複数のレジューム情報が存在するかどうかを判断し、レジューム情報が１つしか存在しない場合は、ステップＳ４０５に移行し、再生部２０３を操作して当該レジューム情報に従って選択されたタイトルの再生停止位置から再生を開始する準備を行う。
【００５６】
また、レジューム情報が複数存在する場合は、ステップＳ４０６に移行し、それぞれのレジューム情報を出力部２０６から出力してユーザに表示し、いずれのレジューム情報で再生を行うかを選択しキー入力してもらった後、ステップＳ４０５に移行し、再生部２０３を操作して選択されたレジューム情報に従って指定タイトルの再生停止位置から再生を開始する準備を行う。
【００５７】
ここで、ワークエリアには図６に示すようなレジューム情報が格納されており、ユーザ名がユーザ＃１で再生するタイトルがタイトル＃１の場合、条件に合うレジューム情報は２つあることになる。その際、ステップＳ４０６では図７に示すように、それぞれのレジューム情報を表示することになる。
【００５８】
更に、ステップＳ４０６で表示する情報として、再生停止位置近傍の映像をレジューム情報と共に表示することでユーザはより詳しい情報を得ることが出来るため、複数のレジューム情報から所望のレジューム情報を容易に選択することができる。
【００５９】
ステップＳ４０７では再生処理を開始するが、レジューム情報を使用している場合、ワークエリアの当該レジューム情報を無効すると共に、情報記録媒体２０４のレジューム情報を記録している領域にある当該レジューム情報を無効にし、そして再生部２０３が情報記録媒体２０４に記録されているデータの再生を開始し、その後ステップＳ５０１に移行する。
【００６０】
再生部２０３は、制御部２０２からの停止の指示が無い限り、情報記録媒体２０４上の録画データを元にそのタイトルの最後まで再生を継続する。ステップＳ５０１では、再生部２０３を継続的に検査し、既にタイトルの最後まで再生終了していればステップＳ５０２に移行し、そうでなければステップＳ５０４に移行する。ステップＳ５０２では、制御部２０２が再生部２０３を操作して再生動作を終了する。また、ステップＳ５０４では、入力部２０１からユーザのキー入力を取得し、ステップＳ５０５に移行し、入力がなければステップＳ５０１に戻る。
【００６１】
ステップＳ５０５では、ユーザからのキー入力を検査し、停止が指示されていればステップＳ５０６へ移行し、そうでなければステップＳ５０９に移行して入力に対応した処理を行って終了する。
【００６２】
ステップＳ５０６では、再生部２０３を操作して情報記録媒体の再生動作を停止し、ステップＳ５０７へ移行する。ステップＳ５０７では、再生部２０３から再生を停止したときの再生停止位置を取得してワークエリアにユーザ名等と共にレジューム情報を作成し、情報記録媒体２０４のレジューム情報を記録している領域に当該レジューム情報を書き込み終了する。
【００６３】
以上のような情報再生装置及び情報再生方法を用いることにより、複数のユーザが同一のタイトルに対して複数のレジューム情報を保持することが可能である。またタイトルとユーザ名をレジューム情報に保持することにより、ユーザはユーザ自身が作成したレジューム情報を容易に特定することができる。
【００６４】
（実施の形態２）
図８は、図１に示した情報再生装置から、本発明の実施の形態２に関する再生システムの部分を抽出し、簡略化した構成を示すブロック図である。本発明の実施の形態２では、録画データを記録した情報記録媒体とは別のレジューム情報部７０５にレジューム情報を保持する。このような構成をとることにより、情報記録媒体のフォーマットが録画データの記録のみに対応している場合や、書き込みが禁止されている場合にも、レジューム情報を保持しておくことが可能となる。
【００６５】
図８における各構成要素７０１〜７０４，７０６の機能は、図２の各構成要素２０１〜２０４，２０６とほぼ同じであるが、情報記録媒体７０４が光ディスクや半導体メモリ等の交換可能な情報記録媒体である場合、レジューム情報には当該交換可能な情報記録媒体７０４の固有番号も含まれることになる。なお、レジューム情報部７０５は、図１の不揮発性メモリ１０６に相当する。
【００６６】
図９はレジューム情報部７０５に記録されているレジューム情報のテーブルであり、本発明の実施の形態１で使用したレジューム情報（図６）に情報記録媒体の固有番号を追加したものである。以降の説明では、図９に示す通り、固有番号をディスクＮｏとして説明する。
【００６７】
本発明の実施の形態２における情報再生装置の動作は、図２の構成を元に図３、図４、図５、図６及び図７を用いて説明した本発明の実施の形態１の場合とほぼ同じなので、相違点のみ説明する。
【００６８】
情報記録媒体７０４が情報再生装置に装着されると、まず制御部７０２が再生部７０３を介して情報記録媒体７０４の固有番号であるディスクＮｏを取得する。次に、制御部７０２はレジューム情報部７０５に記録されているレジューム情報を読み出して、その中から先に読み出したディスクＮｏに一致するレジューム情報を検索し、一致したレジューム情報をワークエリアに格納する。
【００６９】
つまり、情報記録媒体７０４から読み出されたディスクＮｏがディスク＃１であり、レジューム情報部７０５から読み出されたレジューム情報が図９に示すテーブルであったとした場合、制御部７０２のワークエリアに格納されるレジューム情報は、図９に示すレジューム情報のテーブルの上段から３つのレジューム情報となる。
【００７０】
また、レジューム情報を生成する場合は、図９に示すように、再生中の情報記録媒体のディスクＮｏ、タイトル、再生停止位置、再生停止日時、再生経過時間、ユーザ名等を含める。
【００７１】
以上のような情報再生装置及び情報再生方法を用いることにより、情報記録媒体のフォーマットが録画データの記録のみに対応している場合や、書き込みが禁止されている場合にも、複数のユーザが同一のタイトルに対して複数のレジューム情報を保持することが可能である。またタイトルとユーザ名をレジューム情報に保持することにより、ユーザはユーザ自身が作成したレジューム情報を容易に特定することができる。
【００７２】
なお、本発明の実施の形態１及び２では、ステップＳ４０１においてタイトルがユーザから選択されていない場合、情報記録媒体２０４に録画されている先頭タイトルの先頭位置から再生するとしたが、ユーザ名も選択されていない場合はワークエリアに格納している全てのレジューム情報を出力部２０６から出力してユーザに表示し、いずれのレジューム情報で再生を行うかをユーザに指定してもらってから再生を開始してもよい。
【００７３】
なお、本発明の実施の形態１及び２では、ステップＳ４０１においてタイトルがユーザから選択されていない場合、情報記録媒体２０４に録画されている先頭タイトルの先頭位置から再生するとしたが、ユーザ名が選択されている場合はワークエリアに格納している全てのレジューム情報から選択されたユーザ名と一致するものを検索し、一致したレジューム情報を出力部２０６から出力してユーザに表示し、いずれのレジューム情報で再生を行うかをユーザに指定してもらってから再生を開始してもよい。
【００７４】
なお、本発明の実施の形態１及び２では、ステップＳ４０２においてタイトルがユーザから選択されているがユーザ名が選択されていない場合の再生は、ステップ４０８に移行して選択されたタイトルの先頭位置から再生するとしたが、ワークエリアに格納している全てのレジューム情報から選択されたタイトルと一致するものを検索し、一致したレジューム情報を出力部２０６から出力してユーザに表示し、いずれのレジューム情報で再生を行うかをユーザに指定してもらってから再生を開始してもよい。
【００７５】
なお、本発明の実施の形態１及び２では、ステップＳ４０３、ステップＳ４０４及びステップＳ４０６でレジューム情報が存在すると判断した場合、レジューム情報から再生開始位置を選択するとしたが、ユーザはレジューム情報を無視して指定したタイトルの先頭位置から再生を開始できるような選択肢を設定してもよい。
【００７６】
なお、本発明の実施の形態１及び２では、再生中にユーザからの再生停止の指示によってレジューム情報を作成するとしたが、入力部２０１の電源ボタンが押下された場合にもレジューム情報を作成するとしても良い。また、入力部２０１にレジューム情報を作成する専用のボタンを備えることにより、再生中のいかなるタイミングでも制御部２０２が前述の専用ボタンを押下されたことを検出した場合にもレジューム情報を作成するとしても良い。
【００７７】
なお、本発明の実施の形態１及び２では、再生中にユーザからの再生停止の指示によってレジューム情報を作成するとしたが、再生中は所定の時間毎にレジューム情報を生成及び更新するとしても良い。
【００７８】
なお、本発明の実施の形態１及び２では、出力部より表示されたユーザ名からユーザ名を選択して入力部で検出するとしたが、携帯電話等の個人を特定できる機器によりユーザが情報再生装置を操作する場合、上記機器がユーザ名以外の情報を入力部へ出力する際に個人を特定する情報と共に入力部へ出力し、入力部は個人を特定する情報からユーザを特定するとしても良い。
【００７９】
なお、本発明の実施の形態１及び２では、ユーザが情報再生装置に対して直接操作するとしたが、情報再生装置にネットワークで接続された情報端末から操作して録画データを視聴するとしてもよい。
【００８０】
なお、本発明のプログラムは、上述した本発明の情報再生装置の全部又は一部の手段（又は、装置、素子等）の機能をコンピュータにより実行させるためのプログラムであって、コンピュータと協働して動作するプログラムである。
【００８１】
また、本発明の記録媒体は、上述した本発明の情報再生装置の全部又は一部の手段（又は、装置、素子等）の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００８２】
なお、本発明の上記「一部の手段（又は、装置、素子等）」とは、それらの複数の手段の内の、一つ又は幾つかの手段を意味する
また、本発明の上記「手段（又は、装置、素子等）の機能」とは、前記手段の全部又は一部の機能を意味する。
【００８３】
また、本発明のプログラムの一利用形態は、コンピュータにより読み取り可能な記録媒体に記録され、コンピュータと協働して動作する態様であっても良い。
【００８４】
また、本発明のプログラムの一利用形態は、伝送媒体中を伝送し、コンピュータにより読み取られ、コンピュータと協働して動作する態様であっても良い。
【００８５】
また、記録媒体としては、ＲＯＭ等が含まれ、伝送媒体としては、インターネット等の伝送媒体、光・電波・音波等が含まれる。
【００８６】
また、上述した本発明のコンピュータは、ＣＰＵ等の純然たるハードウェアに限らず、ファームウェアや、ＯＳ、更に周辺機器を含むものであっても良い。
【産業上の利用可能性】
【００８７】
本発明に係る情報再生装置、情報再生方法、プログラム及び記録媒体は、タイトル毎及びユーザ毎にレジューム情報を保持することによって、複数のユーザが同一のタイトルに対して複数のレジューム情報を保持することによって、ユーザはユーザ自身が作成したレジューム情報を容易に特定することできることが必要な情報再生装置、情報再生方法、プログラム及び記録媒体等にも適用できる。
【００８８】
また、本発明に係る情報再生装置、情報再生方法、プログラム及び記録媒体は、ユーザが同一タイトルに複数のレジューム情報を保持していた場合でも、それぞれのレジューム情報に記録している再生停止時の記録位置近傍の記録情報を再生して表示することによって、ユーザはその表示を見て再生を開始する記録位置を選択することができることが必要な情報再生装置、情報再生方法、プログラム及び記録媒体にも適用できる。
【００８９】
また、本発明に係る情報再生装置、情報再生方法、プログラム及び記録媒体は、着脱可能な情報記憶媒体を再度取り付けて再生しようとした場合でも、情報記憶媒体毎にレジューム情報を保持することによって、以前に再生を中断したレジューム情報を利用することが必要な情報再生装置、情報再生方法、プログラム及び記録媒体にも適用できる。
【００９０】
また、本発明に係る情報再生装置、情報再生方法、プログラム及び記録媒体は、電源スイッチを押したり停電などによるユーザが意図しない再生停止の場合でも、再生中の所定時間毎にレジューム情報を記録及び更新することによって、再び停止位置から再生を開始できることが必要な情報再生装置、情報再生方法、プログラム及び記録媒体にも適用できる。
【図面の簡単な説明】
【００９１】
【図１】本発明における情報再生装置の構成を示すブロック図
【図２】本発明の実施の形態１における情報再生装置の構成を示すブロック図
【図３】同実施の形態１における情報再生装置の動作を示すフローチャート
【図４】同実施の形態１における情報再生装置の動作を示すフローチャート
【図５】同実施の形態１における情報再生装置の動作を示すフローチャート
【図６】同実施の形態１におけるレジューム情報のテーブルを示す概念図
【図７】同実施の形態１におけるレジューム情報の外部表示例を示す概念図
【図８】本発明の実施の形態２における情報再生装置の構成を示すブロック図
【図９】同実施の形態２におけるレジューム情報のテーブルを示す概念図
【符号の説明】
【００９２】
１０１    光ディスク
１０２    ハードディスクドライブ（ＨＤＤ）
１０３    半導体メモリ
１０４    キー入力部
１０５    マイクロコンピュータ
１０６    不揮発性メモリ
１０７    データプロセッサ
１０８    ＡＶデコーダ
１０９    ＡＶミキサ
１１０    ＡＶ出力部
１１１    ＡＶ入力部
１１２    ＡＶエンコーダ
【図１】
2005129093.tif 000003
【図２】
2005129093.tif 000004
【図３】
2005129093.tif 000005
【図４】
2005129093.tif 000006
【図５】
2005129093.tif 000007
【図６】
2005129093.tif 000008
【図７】
2005129093.tif 000009
【図８】
2005129093.tif 000010
【図９】
2005129093.tif 000011